(57)【要約】【課題】  電子機器の機能の設定をし忘れる可能性を低減し、ユーザーが容易かつ円滑に設定を行えるようにする。【解決手段】  設定画面を表示する表示部６と、これを制御する画面制御部５と、表示部６に表示されるデータを作成するＯＳＤデータ作成部１１と、ユーザーが設定値を入力するための入力部７と、設定項目及びユーザーが入力した設定値を記憶するメモリ部８及びタイマー・カウント部９と、ユーザーが入力した設定値が記憶されているかを判断する判断部１０とを具備するテレビジョン受像機において、指示部１２が指定された項目の設定を連続して行うよう指示する。【選択図】  図２
2006303993.tif 000002
【特許請求の範囲】
【請求項１】
主要動作に必要な各種の設定項目を設定する際、
ユーザーが設定値を入力するための入力手段と、
前記各設定項目に対応する設定画面を表示する表示手段と、
入力された設定値を記憶する設定値記憶手段と、
前記各設定項目を予め記憶した設定項目記憶手段と、
ユーザーが入力した設定値が前記設定値記憶手段に記憶されているかを判断する判断手段と、
前記表示手段及び前記判断手段に動作を指示する指示手段と
を具備する電子機器で使用され、
前記設定項目記憶手段に記憶された各設定項目について、
ユーザーが入力した設定値が前記設定値記憶手段に記憶されているかを判断する第１のステップと、
前記第１のステップの結果、記憶されていない場合に、前記設定画面を表示し、設定値を入力させる第２のステップと、
前記第２のステップでユーザーが入力した設定値を前記設定値記憶手段に記憶する第３のステップと
を含む設定を行う項目設定方法であって、
前記各設定項目の設定値の入力時において前記指示手段が各設定項目における設定値の入力後、次の設定画面に切り換えて前記各設定項目の設定を連続して行うよう指示することを特徴とする項目設定方法。
【請求項２】
前記設定項目記憶手段は各設定項目の設定順も併せて予め記憶し、前記指示手段はこの設定順に従って設定画面の切り換えを行うよう指示することを特徴とする請求項１に記載の項目設定方法。
【請求項３】
前記指示手段が初めに表示言語の設定を行うよう指示することを特徴とする請求項１に記載の項目設定方法。
【請求項４】
前記設定値記憶手段が初期状態化された際にストアされる値を予め記憶しておくことを特徴とする請求項１乃至３の何れか１項に記載の項目設定方法。
【請求項５】
前記入力手段が、
ユーザーが設定値又はこの設定項目の設定を行わない旨を入力するための手段であり、
前記第２のステップが、
前記第１のステップの結果、記憶されていない場合に、前記設定画面を表示し、設定値又はこの設定対象となっている項目の設定を行わない旨を入力させるステップであり、
前記第３のステップが、
ユーザーが設定値を入力した場合にのみ、その設定値を前記設定値記憶手段に記憶するステップである
ことを特徴とする請求項１乃至４の何れか１項に記載の項目設定方法。
【請求項６】
ユーザーが設定値を入力するための入力手段と、
前記各設定項目に対応する設定画面を表示する表示手段と、
入力された設定値を記憶する設定値記憶手段と、
前記各設定項目を予め記憶した設定項目記憶手段と、
ユーザーが入力した設定値が前記設定値記憶手段に記憶されているかを判断する判断手段と、
前記表示手段及び前記判断手段に動作を指示する指示手段と
を具備する電子機器であって、
前記各設定項目の設定値の入力時において前記指示手段が各設定項目における設定値の入力後、次の設定画面に切り換えて前記各設定項目の設定を連続して行うよう指示することを特徴とする電子機器。
【請求項７】
前記設定項目記憶手段は各設定項目の設定順も併せて予め記憶し、前記指示手段はこの設定順に従って設定画面の切り換えを行うよう指示することを特徴とする請求項６に記載の電子機器。
【請求項８】
前記指示手段が初めに表示言語の設定を行うよう指示することを特徴とする請求項６に記載の電子機器。
【請求項９】
前記設定値記憶手段が初期状態化された際にストアされる値を予め記憶していることを特徴とする請求項６乃至８の何れか１項に記載の電子機器。
【請求項１０】
前記入力手段が、
ユーザーが設定値又はこの設定項目の設定を行わない旨を入力するための手段である
ことを特徴とする請求項６乃至９の何れか１項に記載の電子機器。
【発明の詳細な説明】
【技術分野】
【０００１】
本発明は、電子機器の機能の設定に関し、詳しくは、テレビジョン受信機の機能の設定に関するものであり、機能の設定を確実、容易かつ円滑に行うように構成した項目設定方法及び電子機器に関するものである。
【背景技術】
【０００２】
従来、電子機器の購入後に、ユーザーの使用環境や嗜好等に応じて機能を設定する方法として、例えば、特許文献１に記載されているような、階層化されたメニューを用いる方法が使用されてきた。しかしながら、その操作に対する課題もある。
【０００３】
例えば、近年、電子機器の多機能化による設定項目数の増加及びメニュー階層の複雑化により、メニューの操作が難しくなってきている。例えば、テレビジョン受像機における基本的な設定の場合でも、図１に示すように、設定項目数が多く、また階層が複雑になってしまう。特許文献２には、全設定項目に対して表示属性を付与することで、簡易な設定で良い場合において表示項目数を減少させる技術が開示されている。
【０００４】
また、製造された電子機器の輸出先の多国化に伴い、購入後にユーザーが、画面に表示に使用する言語（以下、表示言語と表記する。）を設定しなければならないものもある。特許文献３には、初期の電源投入時に、表示言語を設定する画面を自動で表示し、表示言語を設定させる技術が開示されている。特許文献４には、メニューキーが押された後、表示言語が設定されている場合にはその言語でメニュー画面を表示し、設定されていない場合には設定画面を表示して表示言語を設定させる技術が開示されている。
【０００５】
【特許文献１】特開平０４−３７１０８３号公報
【特許文献２】特開２００２−２１５１２３号公報
【特許文献３】特開２００３−４６８９２号公報
【特許文献４】特開平０７−９５４９２号公報
【発明の開示】
【発明が解決しようとする課題】
【０００６】
近年の設定項目数が多く複雑化したメニューにおいては、多数の項目を複雑な階層をたどって設定して行くため、設定忘れの可能性があった。また、或る程度の知識がない限り、多数の設定項目の中で、購入後、最初に設定しなければならないものがどれなのか分からず、手当たり次第に設定して行くか、説明書で項目毎に確認しながら設定して行くかしなければならなかった。
【０００７】
特許文献２は、表示属性を用いることで簡易化を図るものであるが、複数表示された項目の中からユーザーが設定項目を選択して行くという方法に変わりはないため、設定忘れの可能性は依然として存在する。特許文献３及び４は、初期の電源投入時又はメニューキーを押した際に、言語設定画面を表示するものであるが、それ以外の項目については、メニューから設定しなければならないため、設定忘れの可能性は依然として存在する。
【０００８】
また、停電や長期間の未使用等の理由により、記憶されていた設定値が消失してしまった場合にも、再度全項目について、メニューをたどって調べ、設定し直さなければならず、設定忘れの可能性があるという問題や設定が必要な項目の確認作業が必要であるという問題があった。
【０００９】
本発明は、上述の問題点に鑑みてなされたものであり、機能の設定をし忘れる可能性を低減でき、ユーザーが容易かつ円滑に設定を行える項目設定方法及び電子機器を提供することを目的とする。
【課題を解決するための手段】
【００１０】
請求項１に記載の項目設定方法は、各種の設定項目を設定する際、ユーザーが設定値を入力するための入力手段と、前記各設定項目に対応する設定画面を表示する表示手段と、入力された設定値を記憶する設定値記憶手段と、前記各設定項目を予め記憶した設定項目記憶手段と、ユーザーが入力した設定値が前記設定値記憶手段に記憶されているかを判断する判断手段と、前記表示手段及び前記判断手段に動作を指示する指示手段とを具備する電子機器で使用され、前記設定項目記憶手段に記憶された各設定項目について、ユーザーが入力した設定値が前記設定値記憶手段に記憶されているかを判断する第１のステップと、前記第１のステップの結果、記憶されていない場合に、前記設定画面を表示し、設定値を入力させる第２のステップと、前記第２のステップでユーザーが入力した設定値を前記設定値記憶手段に記憶する第３のステップとを含む設定を行う項目設定方法であって、前記各設定項目の設定値の入力時において前記指示手段が各設定項目における設定値の入力後、次の設定画面に切り換えて前記各設定項目の設定を連続して行うよう指示することを特徴とする。
【００１１】
請求項１に記載の項目設定方法によれば、設定する項目がシーケンシャルに（時間的に連続に）表示されるため、設定忘れの可能性を低減できる。
【００１２】
請求項２に記載の項目設定方法は、請求項１において、前記設定項目記憶手段は各設定項目の設定順も併せて予め記憶し、前記指示手段はこの設定順に従って設定画面の切り換えを行うよう指示することを特徴とする。
【００１３】
請求項２に記載の項目設定方法によれば、ユーザーが設定し易い順番で設定を行わせることができる。また、或る項目を設定した後に設定した方が良い項目がある場合、設定順を指定することで解決できる。
【００１４】
請求項３に記載の項目設定方法は、請求項１において、前記指示手段が初めに表示言語の設定を行うよう指示することを特徴とする。
【００１５】
請求項３に記載の項目設定方法によれば、初めに表示言語を設定するため、その表示言語でそれ以降の表示を行うことができ、ユーザーが設定を行い易いインターフェースを提供できる。
【００１６】
請求項４に記載の項目設定方法は、請求項１乃至３の何れか１項において、前記設定値記憶手段が初期状態化された際にストアされる値を予め記憶しておくことを特徴とする。
【００１７】
請求項４に記載の項目設定方法によれば、判断手段が、初期状態化された際にストアされる値の検出により、記憶されているかどうかを判断するようにすることで、停電や長時間の未使用等の理由で記憶されていた設定値が消失した場合にも、その項目の設定を行うようにすることができる。
【００１８】
請求項５に記載の項目設定方法は、請求項１乃至４の何れか１項において、前記入力手段が、ユーザーが設定値又はこの設定項目の設定を行わない旨を入力するための手段であり、前記第２のステップが、前記第１のステップの結果、記憶されていない場合に、前記設定画面を表示し、設定値又はこの設定対象となっている項目の設定を行わない旨を入力させるステップであり、前記第３のステップが、ユーザーが設定値を入力した場合にのみ、その設定値を前記設定値記憶手段に記憶するステップであることを特徴とする。
【００１９】
請求項５に記載の項目設定方法によれば、ユーザーがその項目の設定を行いたくない場合に、その項目の設定を行わず、次のステップに進むことができる。即ち、或る項目の設定を中止することで、連続設定全体を中止させてしまうといったことを回避できる。
【００２０】
請求項６に記載の電子機器は、ユーザーが設定値を入力するための入力手段と、前記各設定項目に対応する設定画面を表示する表示手段と、入力された設定値を記憶する設定値記憶手段と、前記各設定項目を予め記憶した設定項目記憶手段と、ユーザーが入力した設定値が前記設定値記憶手段に記憶されているかを判断する判断手段と、前記表示手段及び前記判断手段に動作を指示する指示手段とを具備する電子機器であって、前記各設定項目の設定値の入力時において前記指示手段が各設定項目における設定値の入力後、次の設定画面に切り換えて前記各設定項目の設定を連続して行うよう指示することを特徴とする。
【００２１】
請求項６に記載の電子機器によれば、設定する項目がシーケンシャルに（時間的に連続に）表示されるため、設定忘れの可能性を低減できる。
【００２２】
請求項７に記載の電子機器は、請求項６において、前記設定項目記憶手段は各設定項目の設定順も併せて予め記憶し、前記指示手段はこの設定順に従って設定画面の切り換えを行うよう指示することを特徴とする。
【００２３】
請求項７に記載の電子機器によれば、ユーザーが設定し易い順番で設定を行わせることができる。また、或る項目を設定した後に設定した方が良い項目がある場合、設定順を指定することで解決できる。
【００２４】
請求項８に記載の電子機器は、請求項６において、前記指示手段が初めに表示言語の設定を行うよう指示することを特徴とする。
【００２５】
請求項８に記載の電子機器によれば、初めに表示言語を設定するため、その表示言語でそれ以降の表示を行うことができ、ユーザーが設定を行い易いインターフェースを提供できる。
【００２６】
請求項９に記載の電子機器は、請求項６乃至８の何れか１項において、前記設定値記憶手段が初期状態化された際にストアされる値を予め記憶していることを特徴とする。
【００２７】
請求項９に記載の電子機器によれば、判断手段が、初期状態化された際にストアされる値の検出により、記憶されているかどうかを判断するようにすることで、停電や長時間の未使用等の理由で記憶されていた設定値が消失した場合にも、その項目の設定を行うようにすることができる。
【００２８】
請求項１０に記載の電子機器は、請求項６乃至９の何れか１項において、前記入力手段が、ユーザーが設定値又はこの設定項目の設定を行わない旨を入力するための手段であることを特徴とする。
【００２９】
請求項１０に記載の電子機器によれば、ユーザーがその項目の設定を行いたくない場合に、その項目の設定を行わず、次のステップに進むことができる。即ち、或る項目の設定を中止することで、連続設定全体を中止させてしまうといったことを回避できる。
【発明の効果】
【００３０】
本発明によれば、電子機器の機能の設定をし忘れる可能性を低減できる。また、ユーザーが容易かつ円滑に設定を行える環境を提供できる。
【発明を実施するための最良の形態】
【００３１】
本発明の実施の形態を、図面を参照して説明する。
【実施例１】
【００３２】
本発明による一実施例が採用されたテレビジョン受像機の構成を図２に示す。アンテナ１で受信した信号は、チューナー２に入力される。チューナー２は入力された信号を選択及び増幅し、ＩＦ回路３でこれを中間周波数に変換し、検波部４で検波しテレビジョン信号を取り出す。取り出されたテレビジョン信号の映像成分は、画面制御部５によって制御される表示部６（ブラウン管、液晶画面、等）に表示される。なお、ここでは音声のみに関する部分は説明を省略する。入力部７は、ユーザーがテレビジョン受像機を動作させるための情報を入力する手段であり、一般に、リモコンやテレビジョン受像機本体に付随する操作スイッチ等である。
【００３３】
メモリ部８は、設定項目記憶領域及び設定値記憶領域を確保している。タイマー・カウント部９は、時計の管理及びマイコンの処理に必要なタイム・カウントを行う。また、時計情報記憶領域を確保している。設定項目及び設定順は、メモリ部８の設定項目記憶領域に記憶される。その記憶形式を図３に示す。ユーザーが入力した設定値で、時計に関するものは、タイマー・カウント部９に記憶され、それ以外のものは、メモリ部８の設定値記憶領域に記憶される。メモリ部８の設定値記憶領域及びタイマー・カウント部９の時計情報記憶領域には、初期状態化された場合にストアされる値である「０」が予め記憶されている。ここで、初期状態化された場合とは、リセット命令が実行された場合及び電源の供給が或る時間以上停止された場合を言い、それまで記憶していた値は「０」でクリアされる。図４はメモリ部８の設定値記憶領域の内容を、図５はタイマー・カウント部の時計情報記憶領域の内容を示す。それぞれ、初めに、「０」が記憶されており（図４（ａ）及び図５（ａ））、ユーザーが設定値を入力すると、その設定値が各記憶領域に記憶される（図４（ｂ）及び図５（ｂ））。
【００３４】
判断部１０は、ユーザーが入力した設定値が、メモリ部８の設定値記憶領域又はタイマー・カウント部９の時計情報記憶領域に記憶されているかを判断する。具体的には、初期状態化された場合にストアされる値である「０」が記憶されているかを調べ、「０」が記憶されていた場合は、ユーザーが入力した設定値は記憶されていないと判断し、「０」以外の値が記憶されていた場合は、ユーザーが入力した設定値が記憶されていると判断する。ＯＳＤデータ作成部１１は、ユーザーが設定値を入力する際の画面の情報を画面制御部５に送信し、表示部６がこれをＯＳＤ（オン・スクリーン・ディスプレイ）にて表示する。指示部１２は、これら一連の設定が行われるよう、指示する。なお、マイコン１３に含まれる各部（メモリ部８、タイマー・カウント部９、判断部１０、ＯＳＤデータ作成部１１、指示部１２）は、ＢＵＳ接続されている。電源部１４は、各部に電源を供給する手段である。
【００３５】
次に、このように構成されたテレビジョン受像機の項目設定動作を説明する。図６は、項目設定動作を示すフローチャートである。電源が投入されると、このフローチャートは開始される。
【００３６】
ステップＳ１０１では、表示言語の設定値がメモリ部８に記憶されているかを判断する。判断の結果、記憶されている場合、ステップＳ１０４に進み、記憶されていない場合、ステップＳ１０２に進む。ステップＳ１０２では、表示言語を設定する画面（図７）を表示し、ユーザーに設定値を入力させ、続くステップＳ１０３では、その設定値をメモリ部８に記憶させ、ステップＳ１０４に進む。ステップＳ１０２で、「４  日本語」を選択した場合、ステップＳ１０３で、これに対応する「４」が、図４（ｂ）に示されるように、設定値記憶領域の表示言語の設定値の箇所に記憶される。
【００３７】
ステップＳ１０４では、受信放送媒体の設定値がメモリ部８に記憶されているかを判断する。判断の結果、記憶されている場合、ステップＳ１０７に進み、記憶されていない場合、ステップＳ１０５に進む。ステップＳ１０５では、受信放送媒体を設定する画面（図８）を表示し、ユーザーに設定値を入力させ、続くステップＳ１０６では、その設定値をメモリ部８に記憶させ、ステップＳ１０７に進む。ステップＳ１０５で、「１  テレビ」を選択した場合、ステップＳ１０６で、これに対応する「１」が、図４（ｂ）に示されるように、設定値記憶領域の受信放送媒体の設定値の箇所に記憶される。
【００３８】
ステップＳ１０７では、チャンネル・プリセットの設定値がメモリ部８に記憶されているかを判断する。判断の結果、記憶されている場合、ステップＳ１１１に進み、記憶されていない場合、ステップＳ１０８に進む。ステップＳ１０８では、チャンネル・プリセットを設定する画面（図９）を表示し、ユーザーに設定値を入力させ、続くステップＳ１０９では、その設定値に従ってチャンネル・プリセットを実行し、続くステップＳ１１０では、その設定値をメモリ部８に記憶させ、ステップＳ１１１に進む。ステップＳ１０８で、「１  自動設定」を選択すると、ステップＳ１０９でチャンネル・プリセットを自動で行い、ステップＳ１１０で、これに対応する「１」が、図４（ｂ）に示されるように、設定値記憶領域のチャンネル・プリセットの設定値の箇所に記憶される。
【００３９】
ステップＳ１１１では、時計の設定値がタイマー・カウント部９に記憶されているかを判断する。判断の結果、記憶されている場合、エンドに進み、記憶されていない場合、ステップＳ１１２に進む。ステップＳ１１２では、時計を設定する画面（図１０）を表示し、ユーザーに設定値を入力させ、続くステップＳ１１３では、その設定値をタイマー・カウント部９に記憶させ、エンドに進む。ステップＳ１１２で、日付を「２００５年４月１日」と、時刻を「１０時４７分」と入力すると、これに対応する「２００５０４０１」及び「１０４７」が、図５（ｂ）に示されるように、時計情報記憶領域に記憶され、その後、内部クロックを利用して、この値は逐次更新される。
【００４０】
以上述べたように、ユーザーが上述のテレビジョン受像機を購入して、最初に電源を投入した際に、予め指定しておいた幾つかの項目の設定を、指定した順に、自動的に行わせることができる。また、停電が起こった場合や長期間このテレビジョン受像機を使用しなかった場合に、例えば、タイマー・カウント部の時計情報記憶領域が「０」でクリアされてしまうことがあるが、この場合も同様に、電源を投入した際に、自動的に項目設定を行わせることができる。
【実施例２】
【００４１】
本実施例は、実施例１と同様の装置構成（図２）のテレビジョン受像機におけるものである。装置構成に関する説明は省略する。
【００４２】
次に、本実施例の項目設定動作を説明する。図１１は、項目設定動作を示すフローチャートである。電源が投入されると、このフローチャートは開始される。
【００４３】
ステップＳ２０１では、表示言語の設定値がメモリ部８に記憶されているかを判断する。判断の結果、記憶されている場合、ステップＳ２０４に進み、記憶されていない場合、ステップＳ２０２に進む。ステップＳ２０２では、表示言語を設定する画面（図７）を表示し、ユーザーに設定値を入力させ、続くステップＳ２０３では、その設定値をメモリ部８に記憶させ、ステップＳ２０４に進む。ステップＳ２０２で、「４  日本語」を選択した場合、ステップＳ２０３で、これに対応する「４」が、図４（ｂ）に示されるように、設定値記憶領域の表示言語の設定値の箇所に記憶される。
【００４４】
ステップＳ２０４では、受信放送媒体の設定値がメモリ部８に記憶されているかを判断する。判断の結果、記憶されている場合、ステップＳ２０８に進み、記憶されていない場合、ステップＳ２０５に進む。ステップＳ２０５では、受信放送媒体を設定する画面（図１２）を表示し、ユーザーに設定値を入力させ、続くステップＳ２０６では、入力された値が「設定しない」であるかを判断し、「設定しない」であった場合、ステップＳ２０８に進み、そうでない場合、ステップＳ２０７に進む。ステップＳ２０７では、ユーザーが入力した設定値をメモリ部８に記憶させ、ステップＳ２０８に進む。ステップＳ２０５で、「１  テレビ」を選択した場合、ステップＳ２０７で、これに対応する「１」が、図４（ｂ）に示されるように、設定値記憶領域の受信放送媒体の設定値の箇所に記憶される。
【００４５】
ステップＳ２０８では、チャンネル・プリセットの設定値がメモリ部８に記憶されているかを判断する。判断の結果、記憶されている場合、ステップＳ２１３に進み、記憶されていない場合、ステップＳ２０９に進む。ステップＳ２０９では、チャンネル・プリセットを設定する画面（図１３）を表示し、ユーザーに設定値を入力させ、続くステップＳ２１０では、入力された値が「設定しない」であるかを判断し、「設定しない」であった場合、ステップＳ２１３に進み、そうでない場合、ステップＳ２１１に進む。ステップＳ２１１では、ユーザーが入力した設定値に従ってチャンネル・プリセットを実行し、続くステップＳ２１２では、その設定値をメモリ部８に記憶させ、ステップＳ２１３に進む。ステップＳ２０９で、「１  自動設定」を選択すると、ステップＳ２１１でチャンネル・プリセットを自動で行い、ステップＳ２１２で、これに対応する「１」が、図４（ｂ）に示されるように、設定値記憶領域のチャンネル・プリセットの設定値の箇所に記憶される。
【００４６】
ステップＳ２１３では、時計の設定値がタイマー・カウント部９に記憶されているかを判断する。判断の結果、記憶されている場合、エンドに進み、記憶されていない場合、ステップＳ２１４に進む。ステップＳ２１４では、時計を設定する画面（図１４）を表示し、ユーザーに設定値を入力させ、続くステップＳ２１５では、入力された値が「設定しない」であるかを判断し、「設定しない」であった場合、エンドに進み、そうでない場合、Ｓ２１６に進む。ステップＳ２１６では、ユーザーが入力した設定値をタイマー・カウント部９に記憶させ、エンドに進む。ステップＳ２１４で、日付を「２００５年４月１日」と、時刻を「１０時４７分」と入力すると、これに対応する「２００５０４０１」及び「１０４７」が、図５（ｂ）に示されるように、時計情報記憶領域に記憶され、その後、内部クロックを利用して、この値は逐次更新される。
【００４７】
以上述べたように、ユーザーが上述のテレビジョン受像機を購入して、最初に電源を投入した際に、予め指定しておいた幾つかの項目の設定を、指定した順に、自動的に行わせることができる。また、停電が起こった場合や長期間このテレビジョン受像機を使用しなかった場合に、例えば、タイマー・カウント部の時計情報記憶領域が「０」でクリアされてしまうことがあるが、この場合も同様に、電源を投入した際に、自動的に項目設定を行わせることができる。また、ユーザーがなんらかの理由で、その項目の設定を行いたくない場合に、その設定を行うことなく、次のステップに進むことができる。なお、設定を行わなかった項目については、後ほど設定しても良い。
【００４８】
上述の実施例は、テレビジョン受像機に関するものであったが、本発明は、これに限定されず、例えば、ＶＣＲ（ビデオ・カセット・レコーダー）、ＤＶＤ（デジタル・ビデオ・ディスク）レコーダー、ＨＤＤ（ハード・ディスク・ドライブ）レコーダー及びこれらの複合機等において実施しても良い。また、エリアコード、ユーザー情報、低消費電力設定等を設定項目として予め記憶しても良い。また、上述の実施例は、マイコン１３の内部のメモリを使用するものであったが、マイコン１３の外部に別途接続されたメモリ（例えば、Ｅ２Ｐ−ＲＯＭ）を使用しても良い。
【図面の簡単な説明】
【００４９】
【図１】階層化されたメニューを示す図である。
【図２】実施例の構成を示すブロック図である。
【図３】メモリ部の設定項目記憶領域の内容を示す表である。
【図４】メモリ部の設定値記憶領域の内容を示す表である。
【図５】タイマー・カウント部の時計情報記憶領域の内容を示す表である。
【図６】実施例１のフローチャートである。
【図７】表示言語の設定の画面を示す図である。
【図８】受信放送媒体の設定の画面を示す図である。
【図９】チャンネル・プリセットの設定の画面を示す図である。
【図１０】時計の設定の画面を示す図である。
【図１１】実施例２のフローチャートである。
【図１２】受信放送媒体の設定の画面を示す図である。
【図１３】チャンネル・プリセットの設定の画面を示す図である。
【図１４】時計の設定の画面を示す図である。
【符号の説明】
【００５０】
１  アンテナ
２  チューナー
３  ＩＦ回路
４  検波部
５  画面制御部
６  表示部
７  入力部
８  メモリ部
９  タイマー・カウント部
１０  判断部
１１  ＯＳＤデータ作成部
１２  指示部
１３  マイコン
１４  電源部
【図１】
2006303993.tif 000003
【図２】
2006303993.tif 000004
【図３】
2006303993.tif 000005
【図４】
2006303993.tif 000006
【図５】
2006303993.tif 000007
【図６】
2006303993.tif 000008
【図７】
2006303993.tif 000009
【図８】
2006303993.tif 000010
【図９】
2006303993.tif 000011
【図１０】
2006303993.tif 000012
【図１１】
2006303993.tif 000013
【図１２】
2006303993.tif 000014
【図１３】
2006303993.tif 000015
【図１４】
2006303993.tif 000016